(57)【要約】      （修正有）【課題】通常の着物を簡単に装着することができる簡易着物であって、着る人の身長や元の着物の丈の長さにかかわりなく、着付け後の見栄えが良好で、着姿に違和感のない着物を提供する。【解決手段】身八ッ口の下端近傍を通る位置におはし折りが設けられた着物であって、前記おはし折りは、内側の折り返しが少なくとも横方向に縫止され、着用者の背丈と着物の着丈の差異に応じ、当該着用者の身体の曲線に合わせて設けられてなることを特徴とする。【選択図】図１
0003163664.tif 000002
【実用新案登録請求の範囲】
【請求項１】
身八ッ口の下端近傍を通る位置におはし折りが設けられた着物であって、  前記おはし折りは、内側の折り返しが少なくとも横方向に縫止され、着用者の背丈と着物の着丈の差異に応じ、当該着用者の身体の曲線に合わせて設けられてなることを特徴とする着物。
【請求項２】
身八ッ口の下端近傍を通る位置におはし折りが設けられた着物であって、  前記おはし折りは、内側の上部折り返しが表側の生地とともに横方向に縫止され、上部身頃の上前身頃の部位よりも下前身頃の部位の幅が広くなるように設けられてなることを特徴とする着物。
【請求項３】
身八ッ口の下端近傍を通る位置におはし折りが設けられた着物であって、  前記おはし折りは、内側の上部折り返しが当て布の下端部とともに横方向に縫止され、さらに前記当て布の上端部は引き上げられ、表側の生地とともに横方向に縫止されて設けられてなることを特徴とする着物。
【請求項４】
身八ッ口の下端近傍を通る位置におはし折りが設けられた着物であって、  前記おはし折りは、内側の上方向に向けた第１の折り返しによりできた折り返し部が表側の生地とともに前記身八ッ口よりも下側位置で横方向に縫止され、且つ当該縫止された線を中心に内側の下方向に向けた第２の折り返しによって前記折り返し部を重ね合わせ、表側の生地とともに横方向に縫止されてなることを特徴とする着物。 
【考案の詳細な説明】
【技術分野】
【０００１】
本考案は、着物に関し、詳しくは、面倒な補正や着付けをすることなく、着る人（着用者）の身長や元の着物の丈の長さにかかわりなく誰でも簡単且つ迅速に着用することができ、着姿が美しく、しかも着崩れし難い簡易着物に関するものである。
【背景技術】
【０００２】
従来から、予め腰揚（おはし折り）が形成された着物など、通常の着物を簡単に装着することができる簡易着物が種々利用されている。  
【０００３】
例えば、特開２００６−２４９５９２号公報には、身八ッ口の下端近傍が縦にダーツを取って縫製され、おはし折りの内側の上部折り返しが表側の生地とともに横方向に縫製されて止められ、前記ダーツを取っている縫製によってウエスト部位がくびれ、前記ダーツを取って縫製された部位が前記おはし折りの表側に位置している着物が開示されている。これによれば、生地にハサミを入れることなく普通の着物を改造して、おはし折りが浮き上がらない、着る人の身体のラインに沿った簡易着物を実現している。  
【０００４】
しかし、従来の簡易着物は、着る人の背丈（身長）と改造前の着物の着丈の差異が考慮されておらず、その長さの違いによっては着付け後の見栄えが良くなかったり、着姿に違和感を生じていた。具体的には、着物のおはし折りの縫止に伴う表側の横方向の縫い目が着付け後に揃わなかったり、下前身頃が、着物のおはし折りの縫止に伴う表側の横方向の縫い目が帯下に出ることが生じたり、おはし折り部が身八つ口の穴から見えることなどがあり、着付け後の見栄が不十分であった。
【特許文献１】特開２００６−２４９５９２号公報
【考案の開示】
【考案が解決しようとする課題】
【０００５】
そこで、本考案は、通常の着物を簡単に装着することができる簡易着物であって、着る人の身長や元の着物の丈の長さにかかわりなく、着付け後の見栄えが良好で、着姿に違和感のない着物を提供することを目的とする。
【課題を解決するための手段】
【０００６】
上記の課題を解決するために、本考案者らは鋭意検討を行ったところ、身八ッ口の下端近傍を通る位置に、内側の折り返しが少なくとも横方向に縫止されたおはし折りが設けられ、前記おはし折りが着用者の背丈と着物の着丈の差異に応じて所定の構造となっている着物を提供することにより、前記目的を達成し得ることの知見を得た。  
【０００７】
本考案はかかる知見に基づきなされたものであり、以下の考案を提供するものである。１．身八ッ口の下端近傍を通る位置におはし折りが設けられた着物であって、  前記おはし折りは、内側の折り返しが少なくとも横方向に縫止され、着用者の背丈と着物の着丈の差異に応じ、当該着用者の身体の曲線に合わせて設けられてなることを特徴とする着物。  
【０００８】
２．身八ッ口の下端近傍を通る位置におはし折りが設けられた着物であって、  前記おはし折りは、内側の上部折り返しが表側の生地とともに横方向に縫止され、上部身頃の上前身頃の部位よりも下前身頃の部位の幅が広くなるように設けられてなることを特徴とする着物。  
【０００９】
３．身八ッ口の下端近傍を通る位置におはし折りが設けられた着物であって、  前記おはし折りは、内側の上部折り返しが当て布の下端部とともに横方向に縫止され、さらに前記当て布の上端部は引き上げられ、表側の生地とともに横方向に縫止されて設けられてなることを特徴とする着物。  
【００１０】
４．身八ッ口の下端近傍を通る位置におはし折りが設けられた着物であって、  前記おはし折りは、内側の上方向に向けた第１の折り返しによりできた折り返し部が表側の生地とともに前記身八ッ口よりも下側位置で横方向に縫止され、且つ当該縫止された線を中心に内側の下方向に向けた第２の折り返しによって前記折り返し部を重ね合わせ、表側の生地とともに横方向に縫止されてなることを特徴とする着物。
【考案の効果】
【００１１】
本考案によれば、着る人の身長や元の着物の丈の長さにかかわりなく、通常の着物を用いて改造し簡単に装着することができ、着付け後の見栄えが良好で、着姿に違和感のない簡易着物の提供が可能となる。なお、本考案の趣旨から、改造後の着物におはし折りを設けるための長さ分を有することが少なくとも必要となるため、本考案に使用する元の着物の着丈は、着る人の身長よりもその分長いものが用いられる。
【００１２】
また、本考案によれば、特に元の着物の着丈と着用者の背丈との長さの差が、一般におはし折りを設けるための着物に必要な場合と同程度（以下、この場合の改造前の着物を通常サイズの着物という）のときに、着付け後の見栄えが良好な簡易着物が提供される。
【００１３】
また、本考案によれば、元の着物の着丈と着用者の背丈との長さの差が、一般におはし折りを設けるための着物に必要な場合よりも短め（以下、この場合の改造前の着物を短めサイズの着物という）のときであっても、着付け後の見栄えが良好な簡易着物が提供される。
【００１４】
また、本考案によれば、元の着物の着丈と着用者の背丈との長さの差が、一般におはし折りを設けるための着物に必要な場合よりも長め（以下、この場合の改造前の着物を長めサイズの着物という）のときであっても、着付け後の見栄えが良好な簡易着物が提供される。
【考案を実施するための最良の形態】
【００１５】
本考案は、既述のとおり、身八ッ口の下端近傍を通る位置におはし折りが設けられた着物であって、前記おはし折りは、内側の折り返しが少なくとも横方向に縫止され、着用者の背丈と着物の着丈の差異に応じ、当該着用者の身体の曲線に合わせて設けられた着物という構成からなるため、着る人の身長や元の着物の丈の長さにかかわりなく、通常の着物を用いて改造し簡単に装着することができ、着付け後の見栄えが良好で、着姿に違和感のないものである。
【００１６】
以下、本考案について、その好ましい実施形態となる実施例に基づいて詳細に説明する。なお、本考案はかかる実施例により何ら制限を受けるものではない。
【実施例１】
【００１７】
図１は、本考案の実施例１に係る着物の正面図（両方の前身頃を閉じた状態）、図２は、図１の着物のおはし折り部の一部拡大図である。図３は、図１の着物の片方の前身頃を開いた状態の正面図、図４は、図１の着物の両方の前身頃を開いた状態の正面図である。  
【００１８】
本実施例１に係る着物１００は、通常サイズの着物の例である。図１に示すように、着物１００は、上部身頃１０と、当該上部身頃１０の下方に延出して形成された下部身頃３０と、から構成されている。  上部身頃１０は、上部前身頃１２と上部後身頃１４とからなり、さらに上部前身頃１２は、上前身頃（上部左前身頃）１６と下前身頃（上部右前身頃）１８とからなっている。  
【００１９】
下部身頃３０の上部はたくし上げられておはし折り４０になっており、おはし折り４０の内側の上部折り返し４２は表側の生地とともに横方向に縫製されて止められている。  
【００２０】
そして、おはし折り４０は、上部身頃１０の上前身頃１６の部位よりも、下前身頃１８の部位の幅が広くなっている。  これにより、おはし折り４０を固定するための横方向縫製の位置に差が生じ、おはし折り４０を固定するための下前身頃１８の横方向縫製は、上前身頃１６のそれと比較して、上側に位置する。  
【００２１】
また、おはし折り４０の幅は、下前身頃１８の部位の幅が上前身頃１６の部位の幅ｂよりも大きくなるように構成されている。それらの幅ａと幅ｂの差は、着る人の背丈等に応じて適宜調整されるが、１〜６ｃｍ程度になるようにするのが好ましい。このようにすることで、下前身頃１８と上前身頃１６とを合わせて着物を着た場合に、おはし折りの下辺がより一層揃うという効果が得られる。
【００２２】
第１の実施形態に係る着物１００では、このような構成を有しているので、下前身頃１８でのおはし折りの幅が上前身頃１６でのおはし折りの幅に比べて広くとることにより、着付け後に下前身頃１８の裾が上前身頃１６の裾から出ることなく、見栄えが良いものとなる。また、上部身頃１０における表生地の横方向縫製の位置がずれることにより、着付け後に着物の脇部での下前身頃１８と上前身頃１６の下辺の位置が揃い、外観がよくなる。
【００２３】
また、着物１００は、上部身頃１０の両側、上部前身頃１２と上部後身頃１４の境界で、約半分から下側の部分には身八ツ口２４，２４が各々開口形成されている。  おはし折り４０は、この身八ッ口２４，２４の下端近傍を通る位置に設けられている。  
【００２４】
上部身頃１０の両側の約半分から上の部分、すなわち身八ツ口２４，２４より上の部分は袖付け２６になっており、袖付け２６には一対の袖２８，２８が各々取り付けられ、袖２８，２８の内部には伊達袖（図示せず）が取り付けられている。  
【００２５】
上前身頃１６と下前身頃１８の対向している側の縁、すなわち衿付斜線２０で示された部分には衿２２が取り付けられ、衿２２の中央部は上部後身頃１４の上縁に取り付けられている。衿２２の内側にはスナップ（図示せず）が取り付けられ、衿２２を２つに折り返して固定できるようになっている。衿２２には白衿（図示せず）が取り付けられている。  
【００２６】
上部身頃１０の下側には下部身頃３０が延長形成されている。下部身頃３０は背中心の両側に位置する一対の下部後身頃３２と、下部後身頃３２の外側に形成された一対の下部前身頃３４，３４と、下部前身頃３４，３４の外側に形成された一対の衽３６，３６とからなる。  
【００２７】
下部身頃３０は身八ッ口２４，２４の下端近傍で縦にダーツを取って縫製され、着物のウエスト部位はこのダーツを取って縫製された部位によってくびれている（図示せず）。このダーツによるくびれは、その形状に特に制限されず一般的なものである。本実施例１の着物は、特開２００６−２４９５９２号公報における図６〜図１０に示すような形態となっている。  
【００２８】
本実施例１に係る着物１００においては、左右の縫製されたダーツの幅は異なるように設けられている。このようにすることで、個人の身体に沿わせて、なお一層見栄え、外観が良好となる効果が得られる。  
【００２９】
本実施例１においては、おはし折り４０の表側にはダーツを取って縫製された部位がおはし折り４０の内部に隠れた状態で位置している。おはし折り４０の端部、すなわち衽３６が折り返された折り返し部４４，４６は裏側に折り返されて表側から衽３６の裏地が見えないようになっている。  
【００３０】
着物の表側で、おはし折り４０の両端部の折り返し部４４，４６（衿２２の両端部）付近には、ゴムからなるウエストベルト４８，５０が斜め上方に向くように各々取り付けられている。
【実施例２】
【００３１】
図５は、本考案の実施例２に係る着物の正面図（両方の前身頃を開いた状態）、図６は、図５の着物を形成する際の一工程を示すおはし折り部下前身頃側拡大図である。  
【００３２】
本実施例２に係る着物２００は、短めサイズの着物の例である。本実施例２に係る着物２００は、基本的な構成については図１に示す着物１００と同様であるが、一部構成が以下のようになっている。  
【００３３】
図６に示すように、着物２００におけるおはし折り５１は、内側の上部折り返し５２が当て布６０の下端部で当該当て布６０とともに横方向に縫止部６１で縫止されている。この当て布６０は、着物２００の裏面に当てられるもので、着付け後の帯下におはし折りの縫い止め位置が出ないようにするものである。  
【００３４】
ここで、縫止部６１は、実施例１の場合と異なり、表側の生地とは縫い合わされず、内側の上部折り返し５２のところだけが当て布６０と縫い合わされている。また、当て布６０の上端部は、図６の矢印方向に引き上げられ、表側の生地とともに横方向に縫止部６２のところで縫い合わされている。  
【００３５】
着物２００は、短めサイズであるために通常おはし折り５１の幅が少なくなるが、上記の構成により、あたかも、おはし折り５１の横方向の縫製の位置（縫止部６１）が、表側から上方向に数センチ移動しているように見え、結果的に帯下に縫製の部位が出ないようになる。すなわち、表側の横方向の縫い目（縫止部６２）が帯下に出ることがなく、着付け後の見栄え、外観が良いものとなる。
【００３６】
本実施例２で使用する当て布の幅は、着る人の背丈等に応じて適宜調整される。このようにすることで、帯によって隠れる部位に、裏布（当て布６０）の縫製部分を固定することができ、帯を締めた時に、結果的に帯下に縫製の部位が出ないようになる。
【００３７】
なお、本実施例２に係る着物２００における上記以外の構造については、前述した実施例１に係る着物１００と同様であり、前記で詳述したことが適宜適用される。
【実施例３】
【００３８】
図７は、本考案の実施例３に係る着物の正面図（両方の前身頃を開いた状態）、図８は、図７の着物を形成する際の一工程を示すおはし折り部の拡大図、図９は、図７の着物のおはし折り部の拡大図である。  
【００３９】
本実施例３に係る着物３００は、長めサイズの着物の例である。本実施例３に係る着物３００についても、基本的な構成については図１に示す着物１００と同様であるが、一部構成が以下のようになっている。  
【００４０】
図８に示すように、着物３００におけるおはし折り７０は、内側の上方向に向けた第１の折り返しによりできた折り返し部７１が表側の生地とともに左右両側の身八ッ口２４，２４よりも下側の位置：縫止部８１で横方向に縫止されている。また、図９に示すように、前記により縫い合わされた縫止部８１の線を中心に内側の下方向に向けた第２の折り返しによって折り返し部７１を重ね合わせ、その裏地同士が横方向に縫止されている（縫止部８２）。縫止部８２は、折り返し部７１を重ね合わせた部位７２の下端部に設けられている。このとき、縫止部８２は、裏地のみで縫い止められているため、表側の生地には縫い目が現れず、従って帯下に出ることがなく見栄えも良くなる。
【００４１】
着物３００は長めサイズであるが、前記の構成からなっているため、おはし折り７０が左右両側の身八つ口２４，２４から出ることがなく、着付け後の見栄え、外観が良いものとなる。
【００４２】
本考案に係る簡易着物は、前述した実施例に限定されるものではなく、本考案の要旨を逸脱しない限り、他の実施例に変更することができる。  なお、本考案に係る簡易着物は、通常公知の方法により製造することができる。また、本考案に係る簡易着物を用いて着付けを行う方法も、一般の方法により行うことが可能である。  
【００４３】
以上、詳述した通り、本考案においては、おはし折りが、その内側の折り返しが少なくとも横方向に縫止され、着用者の背丈と着物の着丈の差異に応じ、当該着用者の身体の曲線に合わせて設けられていることにより、着る人の身長や元の着物の丈の長さにかかわりなく、通常の着物を用いて改造し簡単に装着することができ、着付け後の見栄えが良好で、着姿に違和感のない簡易着物を得るという目的を達成した。
【図面の簡単な説明】
【００４４】
【図１】本考案の実施例１に係る着物の正面図（両方の前身頃を閉じた状態）である。
【図２】図１の着物のおはし折り部の一部拡大図である。
【図３】図１の着物の片方の前身頃を開いた状態の正面図である。
【図４】図１の着物の両方の前身頃を開いた状態の正面図である。
【図５】本考案の実施例２に係る着物の正面図（両方の前身頃を開いた状態）である。
【図６】図５の着物を形成する際の一工程を示すおはし折り部下前身頃側拡大図である。
【図７】本考案の実施例３に係る着物の正面図（両方の前身頃を開いた状態）である。
【図８】図７の着物を形成する際の一工程を示すおはし折り部の拡大図である。
【図９】図７の着物のおはし折り部の拡大図である。
【符号の説明】
【００４５】
１０ 上部身頃１２ 上部前身頃１４ 上部後身頃１６ 上前身頃（上部左前身頃）１８ 下前身頃（上部右前身頃）２０ 衿付斜線２２ 衿２４ 身八ッ口２６ 袖付け２８ 袖３０ 下部身頃３４ 下部前身頃３６ 衽３８ 部位４０ おはし折り４２ 上部折り返し４４ 折り返し部４６ 折り返し部４８ ウエストベルト５０ ウエストベルト５１  おはし折り５２  上部折り返し６０  当て布６１，６２  縫止部７０  おはし折り７１  折り返し部７２  重ね合わせ部位８１，８２  縫止部１００，２００，３００  着物
【図１】
0003163664.tif 000003
【図２】
0003163664.tif 000004
【図３】
0003163664.tif 000005
【図４】
0003163664.tif 000006
【図５】
0003163664.tif 000007
【図６】
0003163664.tif 000008
【図７】
0003163664.tif 000009
【図８】
0003163664.tif 000010
【図９】
0003163664.tif 000011
【手続補正書】
【提出日】平成22年8月24日(2010.8.24)
【手続補正１】
【補正対象書類名】実用新案登録請求の範囲
【補正対象項目名】全文
【補正方法】変更
【補正の内容】
【実用新案登録請求の範囲】
【請求項１】
身八ッ口の下端近傍を通る位置におはし折りが設けられた着物であって、  前記おはし折りは、内側の上部折り返しが表側の生地とともに横方向に縫止され、上部身頃の上前身頃の部位よりも下前身頃の部位の幅が広くなるように設けられてなることを特徴とする着物。
【請求項２】
身八ッ口の下端近傍を通る位置におはし折りが設けられた着物であって、  前記おはし折りは、内側の上部折り返しが当て布の下端部とともに横方向に縫止され、さらに前記当て布の上端部は引き上げられ、表側の生地とともに横方向に縫止されて設けられてなることを特徴とする着物。
【請求項３】
身八ッ口の下端近傍を通る位置におはし折りが設けられた着物であって、  前記おはし折りは、内側の上方向に向けた第１の折り返しによりできた折り返し部が表側の生地とともに前記身八ッ口よりも下側位置で横方向に縫止され、且つ当該縫止された線を中心に内側の下方向に向けた第２の折り返しによって前記折り返し部を重ね合わせ、表側の生地とともに横方向に縫止されてなることを特徴とする着物。
【請求項４】
前記おはし折りの両端部の折り返し部付近に、ウエストベルトが斜め上方に向くように各々取り付けられている、請求項１〜３の何れかに記載の着物。
【手続補正２】
【補正対象書類名】明細書
【補正対象項目名】０００７
【補正方法】変更
【補正の内容】
【０００７】
本考案はかかる知見に基づきなされたものであり、以下の考案を提供するものである。
【手続補正３】
【補正対象書類名】明細書
【補正対象項目名】０００８
【補正方法】変更
【補正の内容】
【０００８】
１．身八ッ口の下端近傍を通る位置におはし折りが設けられた着物であって、  前記おはし折りは、内側の上部折り返しが表側の生地とともに横方向に縫止され、上部身頃の上前身頃の部位よりも下前身頃の部位の幅が広くなるように設けられてなることを特徴とする着物。
【手続補正４】
【補正対象書類名】明細書
【補正対象項目名】０００９
【補正方法】変更
【補正の内容】
【０００９】
２．身八ッ口の下端近傍を通る位置におはし折りが設けられた着物であって、  前記おはし折りは、内側の上部折り返しが当て布の下端部とともに横方向に縫止され、さらに前記当て布の上端部は引き上げられ、表側の生地とともに横方向に縫止されて設けられてなることを特徴とする着物。
【手続補正５】
【補正対象書類名】明細書
【補正対象項目名】００１０
【補正方法】変更
【補正の内容】
【００１０】
３．身八ッ口の下端近傍を通る位置におはし折りが設けられた着物であって、  前記おはし折りは、内側の上方向に向けた第１の折り返しによりできた折り返し部が表側の生地とともに前記身八ッ口よりも下側位置で横方向に縫止され、且つ当該縫止された線を中心に内側の下方向に向けた第２の折り返しによって前記折り返し部を重ね合わせ、表側の生地とともに横方向に縫止されてなることを特徴とする着物。４．前記おはし折りの両端部の折り返し部付近に、ウエストベルトが斜め上方に向くように各々取り付けられている、前記１〜３の何れかに記載の着物。